(57)【要約】      （修正有） 【課題】構造が簡単で且つコンパクトに収納可能な背負い傘を提供する。【解決手段】適宜な背負い部材Ａに装着して使用する背負い傘であって、背負い部材への装着部を備えて背負い部材の頂部に載置装着される基体１と、可撓性材を撓曲させて基体上に起立形成した枠部に傘布を張設した傘体２と、背負い部材に装着して傘体を前方に倒曲した際に傘体の前縁左右部分と背負い部材の背負い帯の下方部分を連結する連結紐３、又は、基体の左右端近傍と傘体の基体と反対側の左右縁とを連結して傘体を撓めて湾曲状態とする連結紐の何れかを備える。【選択図】図３
0003214702.tif 000002
【実用新案登録請求の範囲】
【請求項１】
適宜な背負い部材に装着して使用する背負い傘であって、背負い部材の頂部に載置装着される基体と、可撓性材を撓曲させて前記基体上に起立形成した枠部に傘布を張設した傘体と、基体の左右端近傍と傘体の基体と反対側の左右縁とを連結して傘体を撓めて湾曲状態とする連結紐とを備えてなることを特徴とする背負い傘。
【請求項２】
適宜な背負い部材に装着して使用する背負い傘であって、背負い部材の頂部に載置装着される基体と、可撓性材を撓曲させて前記基体上に起立形成した枠部に傘布を張設した傘体と、背負い部材に装着して前記傘体を前方に倒曲した際における傘体の前縁左右部分と背負い部材の背負い帯の下方部分を連結する連結紐とを備えてなることを特徴とする背負い傘。
【請求項３】
傘体の連結紐との連結部を着脱自在とした面ファスナーで形成してなる請求項１又は２記載の背負い傘。
【請求項４】
背負い部材への基体の装着構成を、基体表裏面若しくは一方の面に、両端を固着した挿通バンドを設け、リュックサック様の背負い部材における上方開口箇所の閉塞用バンドを挿通バンドに挿通して基体を背負い部材に装着してなる請求項１乃至３記載の何れかの背負い傘。
【請求項５】
背負い部材への基体の装着構成を、基体の底面若しくは付設帯に面ファスナーを設けて装着部とし、背負い部材における前記装着部と対応した箇所に面ファスナーを設けて、基体を背負い部材に装着してなる請求項１乃至３記載の何れかの背負い傘。
【考案の詳細な説明】
【技術分野】
【０００１】
本考案は、種々の構成の背負い部材に装着して、雨傘や日除け傘として使用する背負い傘に関するものである。
【背景技術】
【０００２】
背負い傘は、背負い部と庇傘部で構成され、背負って身体に装着するので両手が空き、種々の作業を行うのに利便性があり、従前より種々の構造の物品が提案されている。例えば特許文献１には、背負い部分と庇枠を鉄線で形成し、これに背負い紐と庇布を取り付けて形成した作業用日除けが開示されている。また特許文献２にはリュック様の背負部の左右に支柱を立設し、支柱に切妻風の庇部を設けた背負い傘が開示されており、特許文献３には、背負い部となるリュック部材への装着フレームの中央に、マストを立設すると共に当該マストに開閉傘を設けたリュック傘が開示されている。
【先行技術文献】
【特許文献】
【０００３】
【特許文献１】実公昭３８−２６２６７号公報。
【特許文献２】登録実用新案３１８８２９８号公報。
【特許文献３】特開２０１７−１０４４７１号公報。
【考案の概要】
【考案が解決しようとする課題】
【０００４】
特許文献１，２に開示されているような背負い部と庇傘部が一体のものは、既存の背負い部材（例えばリュックサックやランドセル）に装着することができないので汎用性に欠け、更に非使用時において収納のコンパクト性に欠ける。特許文献３に開示されている様に既存の背負い部材（リュックサック）に装着可能とした構成は、装着構造を変更することで汎用性を持たせることは可能であるが、傘開閉構造を採用しているために、必ずしも構造の簡素化、収納時のコンパクト化が実現されているものではなく、更に風に煽られやすいので、安全性の面から小児が背負うランドセルへの装着に適するものでもない。
【０００５】
そこで本考案は、既存の背負い部材に装着する分離型で、且つ傘開閉構造を採用しない新規な背負い傘を提案したものである。
【課題を解決するための手段】
【０００６】
本考案の請求項１記載に係る背負い傘は、適宜な背負い部材に装着して使用する背負い傘であって、背負い部材の頂部に載置装着される基体と、可撓性材を撓曲させて前記基体上に起立形成した枠部に傘布を張設した傘体と、基体の左右端近傍と傘体の基体と反対側の左右縁とを連結して傘体を撓めて湾曲状態とする連結紐とを備えてなることを特徴とするものである。
【０００７】
前記の背負い傘は、基体と傘体とを連結紐で連結すると平板状の傘体が前後方向（基体を後方とする）で湾曲し、基体を背負い部材に装着して傘体が背負い部材の前方に張り出すようにし、前記の背負い部材を傘使用者が担うことで、傘体が使用者の頭部上方に庇状に突出し、傘としての機能を発揮するものである。
【０００８】
本考案の請求項２記載に係る背負い傘は、適宜な背負い部材に装着して使用する背負い傘であって、背負い部材への装着部を備えて背負い部材の頂部に載置装着される基体と、可撓性材を撓曲させて前記基体上に起立形成した枠部に傘布を張設した傘体と、背負い部材に装着して前記傘体を前方に倒曲した際における傘体の前縁左右部分と背負い部材の背負い帯の下方部分を連結する連結紐とを備えてなることを特徴とするものである。
【０００９】
前記の背負い傘は、基体を装着した背負い部材を傘使用者が担い、使用者の頭部背方に大きく起立することになる傘体の上方部分を前方へ倒曲すると、傘体は前後方向で大きく撓み、前方部分が使用者の頭部を覆う庇状となる。そこで連結紐で傘体の前縁左右部分と背負い部材の背負い帯の下方部分を連結すると、前記状態を維持して傘としての機能を発揮するものである。特に請求項１記載の背負い傘は、基体を基点とする片持ち支持で、風によって傘体が煽られた場合の抵抗力に問題があるが、本請求項の傘体は、前後二点支持となり風による煽りに対しても十分な抵抗力を備えることになる。
【考案の効果】
【００１０】
本考案の構成は上記のとおりで、既存の背負い部材に対応した装着部を備えることで種々対応できると共に、枠部となる可撓性線状材と傘布で傘体を形成したものであるから、連結紐の連結を解除することで傘体が平板状となり、捩じり畳むことでコンパクトに収納することができる。
【図面の簡単な説明】
【００１１】
【図１】本考案の実施形態（第一実施例）の正面図。
【図２】同背負い部材への装着状態の説明図。
【図３】同使用状態の説明図。
【図４】同収納時の説明図。
【図５】同第二実施例の斜視図。
【図６】同背負い部材への装着状態の説明図。
【図７】同使用状態の説明図。
【図８】同第三実施例の正面図。
【図９】同使用状態の説明図。
【考案を実施するための形態】
【００１２】
次に本考案の実施形態について説明する。図１乃至４は第一実施例を示したもので、リュックサック様の背負い部材Ａに装着する背負い傘で、基体１と傘体２と連結紐３で構成される。
【００１３】
基体１は樹脂形成された棒状体で、基体１に背負い部材Ａとの装着部１１を付設しており、装着部１１は、基体１の表裏面に、両端を固着した挿通バンドを設けて形成した。
【００１４】
傘体２は、枠部２１と傘布２２で構成され、枠部２１は、ピアノ線材、バネ板線材、グラスファイバー材等の可撓性材で形成したもので、Ｕ状に撓曲して先端をＬ状に折曲して基体１の両端面から差し入れてなり、傘布２２はナイロン布等の防水布で前記枠部２１に張設したものである。更に前縁（基体１と連結個所と反対側縁）左右に面ファスナーで形成した連結部２３を設けてなる。
【００１５】
連結紐３は、先端及び基端側に面ファスナーで形成した着脱連結部３１，３２を設けたものである。
【００１６】
背負い傘を装着する背負い部材Ａは、図２，３に示すように、リュックサック型で、上方開口の背嚢部０１に背負い帯０２を備えると共に、開口部を閉塞する閉塞帯０３と閉塞帯の止着部０４を備えてなり、更に背負い帯０２に面ファスナー部材０５を捲装してなる。
【００１７】
而して前記背負い部材Ａに装着しての背負い傘の使用は、最初に基体１の装着部１１に閉塞帯０３を挿通して止着部０４に止めると、基体１は背負い部材Ａに連結装着する。次に背負い部材Ａを傘使用者が担うと、傘体２は使用者Ｂの頭部背方に大きく起立することになる。
【００１８】
そこで予め連結紐３の先端の着脱連結部３１を連結部２３に絡着しておき、連結紐３を前方へ引っ張ると、傘体２の上端部分を前方へ大きく撓み、前方部分が使用者Ｂの頭部を覆う庇状となり、連結紐３の基端の着脱連結部３２を背負い帯０２の面ファスナー部材０５に絡着し、傘体２は庇状に保持され、傘（雨傘又は日傘）として機能することになる。勿論逆に連結紐３の基端を背負い帯０２の面ファスナー部材０５に連結した後に、傘体２を前方に撓ませて連結紐３の先端の着脱連結部３１を連結部２３に絡着しても良い。
【００１９】
更に傘体２の枠部２１が可撓性の芯材で形成されているので、図４に示すよう捩じり畳むことが可能であり、当該状態で適宜な収納袋Ｃにコンパクトに収納が可能となるものである。
【００２０】
また図５乃至７は第二実施例を示すもので、背負い部材がランドセルＡ１であった場合の例で、基体１ａ、傘体２と、連結紐３で構成される。
【００２１】
特に基体１ａは上方開口コの字状に形成し、基体１ａの底面に面ファスナーを備えた帯を付設して装着部１２としたものであり、傘体２の枠部２１を構成する芯材の端部を基体１ａの左右柱状部分に植立したものである。また基体１ａの底辺部分を細長矩形孔に形成し、第二の装着部１３としたものである。
【００２２】
傘体２及び連結紐３は前記の第一実施例と同様に構成し、背負い部材であるランドセルＡ１には蓋面０６の適宜箇所（頂部裏面該当箇所）に連結面ファスナー０７を設け、背負い帯０２には、前記第一実施例と同様に面ファスナー部材０５を装着しておく。
【００２３】
そこで基体１ａの装着部１２を蓋面０６に連結し、蓋面０６を閉じ、ランドセルＡ１を担い、前記第一実例と同様に傘体２を前方に撓ませて、連結紐３で傘体２の前方部分と背負い帯０２の下方部分を連結すると、傘体２が庇状態を維持し傘として機能するものである。
【００２４】
特に小児が使用することを考慮し、面ファスナーの連結強度を適宜選択すると（弱くする）、強風に煽られた場合に連結個所が分離して、体が強風に持っていかれることなく、基体１及び傘体２が分離して飛び去り、小児の安全が確保されることになる。
【００２５】
特に装着部を基体１ａの底面に設けた面ファスナーとし、蓋面０６の上面に連結面ファスナーを設けると、より分離しやすくなる。
【００２６】
更に第二実施例における第二の装着部１３は、細長矩形孔であるので、種々の背負い部材に対して、当該細長矩形孔に背負い部材の連結部を連結することで、基体１ａを容易に装着することができる。
【００２７】
また図８、９は第三実施例を示すもので、連結紐３ａを基体１に設けた例で、基体１、傘体２と、連結紐３ａで構成される。
【００２８】
基体１及び傘体２は第一実施例と同様であるが、連結紐３ａが基体１の左右端近傍に付設されたもので、先端に連結部２３と絡着する面ファスナーで形成した先端着脱連結部３３を設けたものである。
【００２９】
而して前記の背負い傘は、第一実施例と同様に基体１の装着部１１に閉塞帯０３を挿通して止着部０４に止めて、基体１を背負い部材Ａに連結装着すると共に、傘体２を撓めて前後方向に湾曲させ、連結紐３ａの先端着脱連結部３３を傘体２の連結部２３に絡着する。
【００３０】
前記状態で背負い部材Ａを傘使用者が担うと、傘体２が使用者Ｂの頭部上方に庇状に突出することになり、傘としての機能が発揮されるものである。
【００３１】
尚基体１に装着部１１を採用せずに、背負い部材Ａ側に基体１を装着する構造部を設けるようにしても良い
【符号の説明】
【００３２】
１，１ａ      基体
１１，１２，１３    装着部
２      傘体
２１    枠部
２２    傘布
２３    連結部
３，３ａ      連結紐
３１，３３    先端着脱連結部
３２    基端着脱連結部
Ａ，Ａ１    背負い部材
０１    背嚢部
０２    背負い帯
０３    閉塞帯
０４    止着部
０５    面ファスナー部材
０６    蓋面
０７    連結面ファスナー
【図１】
0003214702.tif 000003
【図２】
0003214702.tif 000004
【図３】
0003214702.tif 000005
【図４】
0003214702.tif 000006
【図５】
0003214702.tif 000007
【図６】
0003214702.tif 000008
【図７】
0003214702.tif 000009
【図８】
0003214702.tif 000010
【図９】
0003214702.tif 000011